Podtech/llm-jp-corpus-v4-ja_patent huggingface dataset:
(57)【要約】【課題】一つの器具で同時に指圧効果と軽い筋力トレーニング効果を得られ、又身体各部に使用可能で安価に生産でき社会に提供できる物とする。【解決手段】ゴム等でリング状の内側に指圧効果のある突起を数か所一体成型し、この突起部を身体各部のこりの有る部分にあて反対側を手に持ち引っ張り動作を繰り返す事で指圧効果と軽い筋力トレーニング効果が同時に得られる、又身体の各部位に使う事が出来る。【選択図】図１
2010246765.tif 000002
【特許請求の範囲】
【請求項１】
ゴム等弾力性のある素材でリング状の内側に指圧効果のある突起を数か所一体成型し、指圧効果と軽い筋力トレーニング効果が同時に得られ、又身体の各部位に使う事が出来る点を特徴とする指圧突起付き軽トレーニング用ゴムリング。
【発明の詳細な説明】
【技術分野】
【０００１】
本発明は、指圧効果と筋力衰退防止効果を同時に得られるトレーニング器具兼用健康器具に関するものである。
【背景技術】
【０００２】
現状では首・肩・背中・腰・臀部・太腿・脹脛・足裏・手等の各部位にマッサージ効果や指圧効果を自ら得るには其々の部位に合う幾つかの器具を使わなければならず、又高価なマッサージ器でも全てをまかなう事はできず更に疲労回復及び筋力衰退防止に必要な軽度の運動などは全く別に行う必要が有る。
【０００３】
現代人にとって体のこりを解し疲労回復に努め更に筋力の衰えをカバーし健康的生活を送るには多くの時間と労力が掛かり、又経済的負担も大きくそれらを一つの器具で同時に行える様にした発明である。
【先行技術文献】
【特許文献】
【０００４】
【特許文献１】特開２００７−４９２
【特許文献２】特開１１−２９０４１８
【特許文献３】特開９−２６６９５７
【発明の概要】
【発明が解決しようとする課題】
【０００５】
解決しようとする問題点は、身体各部のこりを解し疲労回復及び筋力衰退防止の軽いトレーニングを自ら行うには、幾つもの器具や高価な器具が必要で更に多くの時間と労力が掛かる点である。
【課題を解決するための手段】
【０００６】
本発明は、ゴム等でリング状の内側に指圧効果のある突起を数か所一体成型し、この突起部を身体各部のこりの有る部分にあて反対側を手に持ち引っ張り動作を繰り返す事で指圧効果と軽い筋力トレーニング効果が同時に得られる、又身体の各部位に使う事が出来る。
【発明の効果】
【０００７】
本発明の効果は、一つの器具で身体各部に指圧効果と同時に軽い筋力トレーニング効果を得られる為、経済的であり尚且つ労力の半減と時間短縮を実現した点である。
【図面の簡単な説明】
【０００８】
【図１】図１は指圧突起付き軽トレーニング用ゴムリングの断面図及び正面図である。
【図２】図２は指圧突起付き軽トレーニング用ゴムリングの実施方法を示した説明図である。
【図１】
2010246765.tif 000003
【図２】
2010246765.tif 000004
(57)【要約】      （修正有）【課題】珪藻土焼成顆粒、ゼオライト、植物質破片に植物活性材、植物成長調整剤を充填し植物の生育を促進を図り、植物活性材および植物栽培容器の構造に給水管理を容易にし、ハイドロカルチャーとして使用可能な植物栽培容器を提供する。【解決手段】珪藻土焼成粒、ゼオライト、植物質破片に植物活性材、成長調整剤を充填させた顆粒状植物活性材である。珪藻土焼成顆粒は高温で焼成しているため清潔であることから園芸、食卓、テーブル，テラス等では、ハイドロカルチャーが適している。植物栽培容器の構造に貯水、通水孔、通気孔を設置する。【選択図】図１
2010246518.tif 000002
【特許請求の範囲】
【請求項１】
珪藻土焼成顆粒に植物活性材、植物成長調整剤を充填させたことを特徴とする顆粒状植物活性材。
【請求項２】
ゼオライト、植物質破片に植物活性材、植物成長調整剤を充填させたことを特徴とする顆粒状植物活性剤。
【請求項３】
植物活性材、植物成長調整剤の一種類、もしくは、二種類以上の充填を珪藻土焼成顆粒、ゼオライト、植物質破片に用いる顆粒状植物活性材。
【請求項４】
請求項１、請求項２、請求項３の単一、もしくは、複合によるハイドロカルチャーの植え込み材としての活用。
【請求項５】
上記の栽培容器として栽培用水の貯水、給水、通気孔を有することを特徴とする植物栽培容器構造。
【発明の詳細な説明】
【技術分野】
【０００１】本発明は、植物活性材、植物成長調整剤を珪藻土焼成顆粒、ゼオライト、植物質破片に充填し、植物の生育を促進させるための植物活性材および給水管理を容易にした植物栽培容器に関するものである。
【背景技術】
【０００２】植物育成促進において、病害、害虫対応に有機合成農薬等が使用され、また、植物成長促進に肥料が使用されている。植物栽培容器においては、底に通気兼排水孔をあけているものが市場に提供されている。
【発明の開示】
【発明が解決しようとする課題】
【０００３】しかしながら、従来作業の煩雑さと有機合成農薬、肥料等が無駄に使用されることからの汚染が環境問題となり、生体系の破壊が社会問題になっている。
環境悪化の対策として設備、機材の投入はされているものの農業汚泥処理は難しく農業汚泥処理量の処理対策に苦慮をしている。環境問題の解決について数多くの提案がなされ、実用化されてはいるものの設備投資額と多大なる費用を要している。
【課題を解決するための手段】
【０００４】本発明は、上記の課題でもある植物の給水管理、通気性が損なわれて発生する根腐れの問題の解決にある。珪藻土焼成顆粒、ゼオライト、植物質破片に植物活性材、植物成長調整剤を充填したことを特徴とした。加えて植物栽培容器を提供することで上記目的を達成する。
本発明は、これを解決する。【０００５】本発明の植物栽培容器の構造は、給水、排水、通気を適度に管理を有する技術を提供したもの。【０００６】本発明の珪藻土焼成顆粒は、秋田県北秋田市から産出される埋蔵量の多い安定供給のできる良質な多孔質構造の珪藻土を用いるのが望ましい。
ゼオライトは、秋田県能代市から産出される良質なものを用いるのが望ましい。
植物質破片は、地域資源の活用が望ましい。【０００７】本発明は、多孔質の機能、性能を発揮する珪藻土焼成顆粒、ゼオライト，植物質破片を植物栽培容器の給水部構造部に充填することで構成され、植物の有用性と環境用材としての提供を目的とする。【０００８】ハイドロカルチャーの植え込み材として活用できる多孔質構造。そのため、適度な水分と空気を保持し植物の根を活性化させる。低照度環境への適応性も増加させる。【０００９】ハイドロカルチャーは、土を使用しないため、根腐れ、カビ、悪臭の心配がない。
また、虫がつきにくいので清潔である。水やりの頻度も少なくてよく、メンテナンスが簡単であることと、また、軽量のため移動が楽である。植物の根を寒さから保護をするので、植物を何年も楽しむことができる。
【発明の効果】
【００１０】本発明の植物活性材は、珪藻土焼成顆粒、ゼオライト、植物質破片に植物活性材、植物成長調整剤を充填することで有機合成農薬、肥料等による環境汚染の影響を低減する。植物活性材による肥料の効率化、土壌作業を焼成顆粒珪藻土の気孔内の植物活性材、植物成長調整剤、水分等の保持により土壌内においても植物に効果が安定供給される。よって、作業軽減となる。【００１１】天然素材の珪藻土、ゼオライト、植物質破片の有用な特徴と細孔部と吸着保存効果はこれまでにない優れた用材を得ることができる。
さらに市販の栽培容器に本発明の給、排水、通気孔を適合することで植物栽培をすることができる。【００１２】多孔質に植物活性材を充填させることにより安定し、しかも安全性、経済性に優れた実用用材が出来た。
【発明を実施するための最良の形態】
【００１３】本発明は、珪藻土、ゼオライト、植物質破片を直径２ミリメートル程度の略均一粒状に形成する。多孔質セラミックの個々の孔は連続している。その体積は微細な気孔で占められており、目詰まりのない最大の特性から植物活性材、植物成長調整剤を充填することにより構成されている。【００１４】上記、珪藻土焼成顆粒、ゼオライト，植物質破片に植物活性材、植物成長調整剤を充填するが、漢方農材とする植物成長調整剤の、多くの種類の内一種を用いるのが好ましいが漢方農材の混在はより好ましい。漢方農材に制限はもたない。【００１５】本発明は、植物栽培容器構造に植物活性材を珪藻土焼成顆粒、ゼオライト、植物質破片の天然多孔質物質に充填したことを特徴とする。
【産業上の利用可能性】
【００１６】本発明は、植物栽培容器に植物の生育促進をするための珪藻土焼成顆粒、ゼオライト、植物質破片に植物活性材を用いた。また、植物栽培容器構造は、給水、排水、通気等を容易にし、しかも、環境用材に関するものである。
【図面の簡単な説明】
【００１７】
【図１】多孔質構造
【図２】珪藻土の組成分析表
【図３】ゼオライトの組成分析表
【図４】植物栽培容器の断面図
【図５】植物栽培容器の透視図
【図６】植物栽培容器の全体図
【図７】上面の仕切り図
【符号の説明】１、植物栽培容器
２、珪藻土焼成顆粒
３、貯水
４、通水孔
５、給水
６、給水孔
７、通気孔
８、仕切り板
【図１】
2010246518.tif 000003
【図２】
2010246518.tif 000004
【図３】
2010246518.tif 000005
【図４】
2010246518.tif 000006
【図５】
2010246518.tif 000007
【図６】
2010246518.tif 000008
【図７】
2010246518.tif 000009
(57)【要約】【課題】ブルーベリー果実が含有する有益成分を、醸造アルコールに糖類を添加して抽出すると、抽出に長時間を要するため、色調が劣化する。また糖類を添加することにより風味が損なわれている。【解決手段】ブルーベリー果実を真空凍結の状態で乾燥させ、これを粉末状態に加工したものを、糖類の添加をしないで、醸造アルコールのみで抽出することにより解決した。【選択図】図１
2010246517.tif 000002
【特許請求の範囲】
【請求項１】
ブルーベリー果実を真空凍結の状態で乾燥した後、粉砕し、その果実粉末を醸造アルコールと混合することにより、短時間で有益成分が抽出され、色調の劣化が少ないことを特徴とするブルーベリー果実酒の製造方法。
【請求項２】
ブルーベリー果実の有益成分を糖類の添加をしないで抽出することにより、風味が損なわれないことを特徴とする請求項１によるブルーベリー果実酒の製造方法。
【発明の詳細な説明】
【技術分野】
【０００１】本発明はブルーベリー果実を利用したブルーベリー果実酒の製造方法及びブルーベリー果実酒に関するものである。
【背景技術】
【０００２】これまで市販されているブルーベリー果実酒はブルーベリー果実と糖類を醸造アルコールに混合して抽出した商品及び醸造アルコールにブルーベリー果汁や香料等を添加して製造した商品等が知られている。
又、特許文献としては熱風乾燥のブルーベリー果実を焼酎とともに細断したゾル状のブルーベリーを焼酎に添加したことを特徴とする抽出方法（特許文献１参照）生姜とブルーベリーを含有する果実酒（特許文献２参照）がある。【０００３】
【特許文献１】特開２００３−１４６９８０
【特許文献２】特開２００８−２６３９１５
【０００４】しかしながら、以上の市販品や特許文献ではブルーベリー果実を真空凍結の状態で乾燥させた原料を利用したブルーベリー果実酒は全く見られない。ブルーベリー果実は有益なアントシアニン及びクエン酸やキナ酸を含有しているので、これを短時間で抽出することにより色調が優れ、また糖類を添加しないで抽出することにより風味の良好なブルーベリー果実酒が求められている。
【発明の開示】
【発明が解決しようとする課題】
【０００５】ブルーベリー果実には有益成分であるアントシアニンやクエン酸及びキナ酸が含有されている。従来これらの有益成分を抽出させるため醸造アルコールにブルーベリー果実と多量の糖類を混合して、浸透圧で抽出している。このため飲用まで３〜６ヶ月間の長時間を要している。
アントシアニンは熱風や長時間の紫外線にさらされると劣化する特性があり、熱風乾燥した原料の利用や長時間の紫外線にさらされる期間での抽出では、ブルーベリー果実特有の赤紫色の色調が劣化する。また糖類を多量に添加して抽出すると、ブルーベリー果実特有の風味が損なわれ、習慣的に飲用すると肥満病等の要因ともなる。
【課題を解決するための手段】
【０００６】ブルーベリー果実を真空凍結の状態で乾燥させることにより、果肉や果皮の細胞膜が破壊された乾燥ブルーベリー果実を得る。次に乾燥ブルーベリー果実を粉末状に加工する。このブルーベリー粉末を醸造アルコールと混合すると、細胞膜が破壊されているため短時間で有益成分が抽出される。また細胞膜を破壊しての抽出であるので浸透圧を発生させるための多量の糖類の添加は全く不必要である。
【発明の効果】
【０００７】本発明によるブルーベリー果実酒は細胞破壊により短時間でブルーベリー果実の有益成分が抽出されるので、アントシアニンの色調劣化が少ない。更に多量の糖類を添加しないで抽出されるのでブルーベリー果実特有の風味が損なわれない。また習慣的に飲用した場合でも肥満
病等が回避される。【０００８】従来のブルーベリー果実酒はブルーベリー果実から搾汁した果汁を利用して製造していて、搾汁後の果肉や果皮は廃棄されていた。真空凍結による乾燥粉末の果肉や果皮には未利用のビタミン類やミネラル分等の有益成分が含有されているので、これを醸造アルコールで抽出することにより、未利用の有益成分が抽出され、廃棄されていた果肉や果皮が有効利用される。【０００９】ブルーベリー果実酒に含有されるアントシアニンは、眼科や循環器科及び悪性腫瘍関係の病気の予防等に今後貢献することが期待されている。
【発明を実施するための最良の形態】
【００１０】本発明を実施するための最良の形態を図１に基づいて説明する。
ブルーベリー果実は品種や地域により６月から９月頃に収穫する。色調の優れた成熟果実を手作業で粒単位に収穫し、洗浄選別のうえ、冷凍庫で凍結保存する。【００１１】凍結保存されたブルーベリー果実が一定量の加工数量に達したら、真空凍結乾燥機により乾燥ブルーベリー果実に加工する。【００１２】次に、乾燥ブルーベリー果実を粉砕機により、粉末状態に加工する。【００１３】粉末状態に加工されたブルーベリー果実を濃度が２０％以上の醸造アルコールと混合することにより有益成分が０，１時間から２４，０時間の短時間で抽出される。抽出済みのブルーベリー果実粉末は濾過装置により除去する。次にアルコール濃度の調整を行い、最後に瓶詰めにする。なお少量の場合はフィルター袋に詰めて抽出しても良い。またアルコール濃度の調整前に酸味料や糖類及び甘味料等を適宜配合することもできる。
【実施例】
【００１４】重量の異なるブルーベリー果実粉末を醸造アルコール１００ｃｃで抽出し、重量比毎の抽出液を得た。得られた抽出液を被験者で試飲して、色調、風味、酸味について意見を求めた結果は表１とおりであった。【００１５】
【表１】
2010246517.tif 000003
以上の結果から重量比で２，５％のブルーベリー果実粉末を醸造アルコールで抽出することにより良好な結果が得られた。
【図面の簡単な説明】
【００１６】
【図１】ブルーベリー果実酒の製造方法を示した行程図である。
【図１】
2010246517.tif 000004
(57)【要約】【課題】杉、檜など枝打ち作業は１本ずつ梯子を掛けのこぎり、鉈等を使い手作業で行うが、梯子の上り下りでの作業は危険で体力を使い、手間ひまの掛かる仕事である。【解決手段】動力機部と回転切断刃部との間に動力を回転切断刃に伝える連結支柱部を設け必要に応じ連結部を継ぎ足すことを可能とする高所用枝打ち作業機。【選択図】図１
2010246520.tif 000002
【特許請求の範囲】
【請求項１】
動力機部と回転切断刃部との間に動きを伝える連結支柱部を設け広い範囲での作業を可能にした切断作業機．
【発明の詳細な説明】
【技術分野】
【０００１】本発明は動力機と回転切断刃部との間に動きを伝える連結支柱部を設けた枝打ち機に関するものである。
【背景技術】
【０００２】従来の高いところの枝打ち作業は木に梯子、脚立を掛け、それらの上で作業者がのこぎり、鉈などを使い切って行くのが一般的である。
【発明の開示】
【発明が解決しようとする課題】
【０００３】その為に次の様な問題点があった。
（イ）地面上からの枝打ち作業の範囲を超える場合は脚立、梯子を使用しなければならない。
（ロ）立ち木一本ごとの脚立や梯子掛け又上り下り、手作業、と手間が掛かる作業である。
（ロ）脚立、梯子の上での作業は不安定で危険である。
（ハ）木の枝打ち作業は脚立、梯子等を使用するためその機材の運搬も労力手間が掛かる。
本発明はこれらの問題点を解決する為に成されたものである。
【課題を解決するための手段】
【０００４】動力機と回転刃の間に動きを伝える連結支柱部を設けその長さ分の範囲の枝打ちが出来、更に連結部の継ぎ足しも可能な構造を持つ枝打ち作業機。
【発明の効果】
【０００５】（イ）脚立、梯子に乗らないで枝打ちができる。
（ロ）脚立、梯子の上り下りがないので落下転倒の恐れがない。
（ハ）地面上での作業で済むので木の枝等の落下に対して素早く危険に対応が出来る。
（ニ）脚立、梯子の使用が無く動力で枝打ちするので楽に安全に短時間に作業も終わり経費は従来の方法よりも削減される。
【発明を実施するための最良の形態】
【０００６】以下本発明の実施の形態を説明する。
（イ）動力部本体（１）と回転刃部（３）とは動きを伝える連結支柱（２）で                つながっている。
（ロ）動力部本体（１）と回転刃部（３）とは動きを伝える連結支柱部（２）                で繋がっているが、更に動きを伝える連結支柱部分（４）を付け加える                事が出来る構造である。
本発明は、以上の構成から成り、本発明を使う時は（１）の動力部本体と円盤回転刃部分（３）の間だは回転連結軸を回転軸受け等で位置決めされた、連結支柱部（２）を接続し、支柱先端部（３）の回転刃を回転させる事により高い場所の木の枝等を切断出来る構造である。更に連結支柱部（２）に同じ構造の連結部（４）を繋ぎこみ、支柱先端の回転刃を回転させる事により作業範囲が更に広がりより高い場所の木の枝等を切断する事が可能になる。
【実施例】  高所用枝打ち作業機
（１）動力部分と回転刃部分の間に任意の長さの、動きを伝える連結支柱部を                設け連結支柱部は同じ動きを伝える構造の連結部分を継ぎ足しが出来る                構造になっている。
（２）動力部の下方に任意の長さの取ってを取り付ける事も可能である。
本発明は以上の構成から成り従来の手作業での脚立、梯子が必要な時、この枝打ち機を使用すれば脚立、梯子の必要なく広い範囲の作業ができる構造である。
【図面の簡単な説明】
【０００７】
【図１】本発明の生きる実施例図
【図２】本発明の部品例図
【符号の説明】
【０００８】        １      動力部本体
２      回転刃部
３      連結部
４      連結継増し部
５      とって取り付け部
【図１】
2010246520.tif 000003
【図２】
2010246520.tif 000004
(57)【要約】      （修正有）【課題】簡単に持ちはこびが出来き、手で簡単に押すだけでつけものに十分な力を加えることのできる携帯式つけもの器を提供する。【解決手段】容器１にギザギザの溝４をつけ上ふた２を容器１にそって手で強く押すことによってつけものが圧縮される、そして圧縮したところでレバー３がかかり、上ふた２が止まり、つけものが出来る。つけもの器を台所の隅に置いたり、ときどき上ふた２を押し、ハイキングに携行できる。なお調味料が必要な場合や、つけものを取り出す時はレバーを引いてスムーズに上ふた２をはずすことができ、つけものは、はし等でつまみ出すことができる。【選択図】図１
2010246521.tif 000002
【特許請求の範囲】
【請求項１】
薄く作れるため、台所の隅などにおける
【請求項２】
持ち運ぶことが簡単に出来る
【請求項３】
ハイキングなどに持っていける、又つけものを自分で作る為に安くつく
【請求項４】
単価が安く、場所をとらない
【請求項５】
構造が簡単である
【請求項６】
作りやすくて、使いやすい、キウリやナスなど、まるづけ出来る
【請求項７】
量産が出来る
【請求項８】
ステンレスのバネを持つ
【請求項９】
プラスチックのギザギザの溝を持つ
【請求項１０】
圧力を加えるときはすむうずに、出すときはレバーを引いてすむうずに取り出す構造。
【発明の詳細な説明】
【技術分野】つけものの容器１につけものを入れ上ぶた２を手で強く押すとプラスチックのギザギザ４の溝をレバー３が上下して、するすると下へ十分力らがくわわった所ろでカギがかかる、そしてつけもの出来た所ろでレバー３を引いて、上ふたを引き、つけものを取り出す
この事により従来よりも便利に作れる
【背景技術】従来携帯式つけもの器はなかった
【図面の簡単な説明】
【図１】  本発明の正面図である
【図２】  本発明の側面図である
【符号の説明】  １  容器（プラスチック）
２  上ふた（プラスチック）
３  レバー（ステンレス）
４  ギザギザの溝（プラスチック）
５  穴（水ぬき）
６  穴（レバー用の小さい出し入れ）
７  レバーを固定するもの
【図１】
2010246521.tif 000003
【図２】
2010246521.tif 000004
【手続補正書】
【提出日】平成21年4月14日(2009.4.14)
【手続補正１】
【補正対象書類名】明細書
【補正対象項目名】全文
【補正方法】変更
【補正の内容】
【発明の詳細な説明】
【技術分野】      つけものの容器１につけものを入れ上ふた２を入れる時だけレバーを引き手で強く押す      とプラスチックのギザギザ４の溝をレバー３が上下して、するすると下へ十分力らがく      わわった所ろでカギがかかる、そしてつけもの出来た所ろでレバー３を引いて、上ふた      を引き、つけものを取り出すこの事により従来よりも便利に作れる
【背景技術】      従来携帯式つけもの器はなかった
【図面の簡単な説明】
【図１】本発明の正面図である
【図２】本発明の側面図である
【符号の説明】      １  容器（プラスチック）      ２  上ふた（プラスチック）      ３  レバー（ステンレス）      ４  ギザギザの溝（プラスチック）      ５  穴（水ぬき）      ６  穴（レバー用の小さい出し入れ）      ７  レバーを固定するもの2010246521.tif 000005
(57)【要約】【課題】本発明は、簡単な構造で、住宅用分電盤の設置や配線をする作業者がブレーカの端子部を視認しやすくし、配線作業のしやすい住宅用分電盤を提供することを目的としている。【解決手段】本発明に係る住宅用分電盤は、分岐ブレーカ４の少なくとも上段の上側の端子部が住宅用分電盤の手前へ向かうように、内部機器ユニットをキャビネットの基台２ａに対して前傾させて取り付け、住宅用分電盤の設置や配線をする作業者がブレーカの端子部を視認しやすくしたことを特徴とする。【選択図】図１
2010246275.tif 000002
【特許請求の範囲】
【請求項１】
レールに主幹ブレーカ・分岐ブレーカを配列したパネルを渡して成る内部機器ユニットをキャビネットに収納して構成される住宅用分電盤であって、前記分岐ブレーカの少なくとも上段の上側の端子部が前記住宅用分電盤の手前へ向かうように、前記内部機器ユニットを前記キャビネットの基台に対して前傾させて取り付けることを特徴とする住宅用分電盤。
【発明の詳細な説明】
【技術分野】
【０００１】
本発明は、レールに主幹ブレーカ・分岐ブレーカを配列したパネルを渡して成る内部機器ユニットをキャビネットに収納して構成される住宅用分電盤に関するものである。
【背景技術】
【０００２】
図４に示すように、主幹ブレーカと分岐ブレーカ３１がパネル３２に載置され、ブレーカ間は電線やバー等の導体で接続されて内機が構成される。内機をキャビネット３３に配置して前面開口はカバーで施蓋し住宅用分電盤３４が構成される。キャビネット３３は背面部を住宅の壁面に固定して設置される。
住宅用分電盤は、近年省スペース化が進んでおり、内部機器も小型化し、キャビネット自体も小さく、取り付け場所の制約を少なくしたり、製造コストを抑えたりしてきている。住宅用分電盤の設置場所は、下足箱の中や、壁面の天井近くの高い位置であることが多かった。このように、小型化した住宅用分電盤３４は鉛直面に取り付けられ、内機も鉛直に配置されていた。
【先行技術文献】
【非特許文献】
【０００３】
【非特許文献１】２００７カワムラ総合カタログ電設資材編平成１９年６月２０日発行
【発明の概要】
【発明が解決しようとする課題】
【０００４】
しかしながら上記従来の住宅用分電盤では、ブレーカ等の内部機器も小型化し、キャビネットもできるだけ小さなものを使って構成されているため、ブレーカの、特に分岐ブレーカの端子部への配線のためのスペースを確保するのが難しかった。さらに、住宅用分電盤が天井近くの壁面に取り付けられた場合、上段に配列された分岐ブレーカの端子口は暗がりになり、配線作業がしにくいという欠点があった。
【課題を解決するための手段】
【０００５】
そこで本発明は、簡単な構造で、配線作業のしやすい住宅用分電盤を提供することを目的とし、その構造は、分岐ブレーカの少なくとも上段の上側の端子部が住宅用分電盤の手前へ向かうように、内部機器ユニットをキャビネットの基台に対して前傾させて取り付けることを特徴とする。
【発明の効果】
【０００６】
本発明は、分岐ブレーカの少なくとも上段の上側の端子部が住宅用分電盤の手前へ向かうように、内部機器ユニットをキャビネットの基台に対して前傾させて取り付けるため、住宅用分電盤の上方にも配線スペースが確保でき、配線作業がしやすくなる。住宅用分電盤が天井近くに設置された場合でも、上段に設けられた分岐ブレーカの端子口の視認性を向上させることができ、配線作業の効率を上げられる。
【図面の簡単な説明】
【０００７】
【図１】住宅用分電盤の機器の配列を示す正面図である。
【図２】電気機器類を示す説明図である。
【図３】分岐ブレーカの配列を示す側面図である。
【図４】作業者の視線を示す説明図である。
【図５】従来の住宅用分電盤における分岐ブレーカの配列を示す側面図である。
【発明を実施するための形態】
【０００８】
本発明に係る住宅用分電盤の実施例を図１〜図４の添付図面に基いて説明する。
【０００９】
住宅用分電盤１は、キャビネット２に主幹ブレーカ３や分岐ブレーカ４等の電気機器を配列し構成されている。キャビネット２の基台２ａ背面に配線口５が設けられ、壁面から住宅用分電盤１へ通線されるようになっている。図１に示すように、内部機器ユニットは、向かって左側に主幹ブレーカ３が配置され、右側に分岐ブレーカ４が上下に複数段に配列されることが多い。キャビネット２の基台２ａにはレール６が渡され、レール６にブレーカ等を載置したパネル７が固定される。パネル７に主幹ブレーカ３や分岐ブレーカ４を配列して内部機器ユニットを構成する。主幹ブレーカ３から分岐ブレーカ４は導電バー８で接続され、分岐ブレーカ４から機器類へは電線で基台２ａ背面の配線口５から通線され接続される。
【００１０】
キャビネット２は住宅の壁面に鉛直に取り付けられる。本発明に係る住宅用分電盤１では、ブレーカ等の電気機器類のキャビネット２への取り付けを前傾させた状態とする。住宅用分電盤１は省スペース化が進められており、そのために、ブレーカ等の内部機器も小型化してきている。分岐ブレーカ４についても薄型のものが出てきており、そのために、端子部への配線がしにくくなるという課題があった。そこで、ブレーカ等の電気機器類をキャビネット２に対して前傾して取り付けることで、特に、上段の分岐ブレーカ４の端子口の視認性を向上させるものである。また、電気機器類を前傾させて取り付けると下段の分岐ブレーカ４の端子口は背面側に向かってしまうが、住宅用分電盤１は、住宅の壁面の天井近くの高い位置に設置されることが多く、分岐ブレーカ４の端子口が多少背面に向かってしまっても、低い位置からの配線作業となるため、作業効率を妨げることはない。
【００１１】
この取り付け方法の例として、キャビネット２の基台２ａの上側に取り付け板を敷設し、下側より手前に高くする。その基台にレールを渡し、内部機器を前傾させて取り付けるものがある。
【００１２】
また、機器を取り付けたパネルを固定するためのキャビネットの基台に渡すレールに傾斜を持たせて電気機器類を前傾して取り付ける構造とする。
【００１３】
住宅用分電盤１は、近年省スペース化が進んでおり、内部に設置されるブレーカ３，４等の機器も小型化されてきている。特に分岐ブレーカ４は薄型化した上、多数の分岐ブレーカ４を密集させて配置するため、端子口も密集し、端子へ接続される電線の収納場所を限られたスペースで確保することも課題となっていた。内部機器を前傾させて取り付けることで、内部機器の背面側に電線の収納スペースが設けられることになる。
【符号の説明】
【００１４】
１    住宅用分電盤
２    キャビネット
２ａ  基台
３    主幹ブレーカ
４    分岐ブレーカ
５    配線口
６    レール
７    パネル
８    導電バー
【図１】
2010246275.tif 000003
【図２】
2010246275.tif 000004
【図３】
2010246275.tif 000005
【図４】
2010246275.tif 000006
【図５】
2010246275.tif 000007
(57)【要約】【課題】狭玄関内に杖又は履物の整理道具を立て掛けるためのスタンド。【解決手段】台座を２００ミリの小さい丸形の台にする。この台座には１の支柱を垂直に立て付ける。この先端には２のゴム製ヘッドを設ける。このヘッドには８の薄い平板状ゴムを弓の様に反らして、杖等の柄部分を掴を様にした。これらを特徴とする杖スタンド。【選択図】図1
2010246697.tif 000002
【特許請求の範囲】
【請求項１】
４台座には１１の突起を設ける、台座は樹脂等で成型する、台座上部には先端が納まる７穴を設ける、１支柱はバイブで長さは約７５センチ位にする、パイプの上部端に２ゴム製のヘッドを設ける、なお、ヘッドの1部には８の薄いゴム板を弓の様に反らして、杖の柄の部分を掴める様にする、８の薄い左右のゴム板とゴム板の間を１のパイプ柄の太さより3ミリ程狭くしておくと良い、以上の様に作った杖スタンド。
【発明の詳細な説明】
【技術分野】
【０００１】
本発明は、狭い玄関内に杖及び履物の整理用具を保管するための杖スタンドに関するものである。
【背景技術】
【０００２】
今まではこの様なものは存在していなかった。
【発明の概要】
【発明が解決しようとする課題】
【０００３】
今までの玄関には杖などの置き場は特になかったため、壁面に立掛るか、下駄箱の上に置くか廊下の隅に置いていました。これではあまりにも体裁もよくありません。使用する場合にもそのつどどこに置いたかを捜さなければならない、この様な欠点を解決をするためにスタンドを作る。
【発明の効果】
【０００４】
手元に杖があるので便利である。杖を立て掛ける際にも、そこにおくだけできっちりと置けるため簡単で気持が良くなった。台座が小さいので、狭い玄関でも邪魔にならなくて使い易い。
【図面の簡単な説明】
【０００５】
【図１】図１は本発明の完成予想図である。
【図２】図２は本発明の組立方法を示す図である。
【図３】図３は本発明の部品を示す図である。
【発明を実施するための形態】
【０００６】
台座になる部分は倒れにくい丸形にする。大きさも小さくして狭い玄関内に対応出来る様にする。この大きさを直径２００ミリぐらいにする。
スタンドの組立方は次の様に行う。
まずスタンド部品を横向に倒す、次に1パイプの下方から３の化粧カバーにあるパイプ孔に差し込むさらに台座の突起部に差し込む、そして１のパイプの下部にある９の貫通孔と突起部にある貫通孔とを合しネジ付ボルトを通し蝶ネジでしめ付け固定する。
【実施例】
【０００７】
玄関内の上り框の前、壁面寄に置く。又は上り框がある口一力の上で邪魔にならない所において使う。
【産業上の利用可能性】
【０００８】
一般家庭の玄関、ホテル、旅館の玄関。ハウスメーカ、趣味の教室などで使える。
【符号の説明】
【０００９】
１．スタンドの支柱パイプ。
２．杖スタンドのヘッド。
３．化粧カバー。
４．台座。
５．杖及び履物の整理道具を立掛けるためのスタンド。
６．靴ベラ掛用フック。
７．カバーの上部の一部に杖の先端を納めるための穴（凹み）。
８．薄いゴム板状のもので弓の様に反らした形なする。
９．貫通した孔。
１０．平ゴム板の巾で約１２ミリ。
１１．パイプを真直立するための台座の1部にある突起。
１２．ネジ付のボルトと蝶ネジ。
【図１】
2010246697.tif 000003
【図２】
2010246697.tif 000004
【図３】
2010246697.tif 000005
(57)【要約】      （修正有）【課題】症状にあわせて耳及び耳周辺のツボ〔経穴〕の位置をだれでも簡単に決定するシートを手軽に幅広く利用提供する。【解決手段】誰でもより正確に症状にあわせた耳のツボを特定する為に、透過性のあるシートＡに、半透明の耳のイラスト・写真をプリントしている。又ツボ〔経穴〕の位置Ｅを大きな丸でしるしをいれる事で、耳に重ねるか、更に横で見比べてツボの位置を誰でもわかりやすく特定しやすくしている事で手軽に利用提供できる。【選択図】図１
2010246673.tif 000002
【特許請求の範囲】
【請求項１】
耳のプリントに耳及び耳周辺のツボ(経穴)をしるしている
透過性のあるシート。
【請求項２】
前記請求項1の素材は汎用プラスチック(ポリエチレン・
ポリプロピレン・ポリスチレン・ポリ塩化ビニール・
メタクリル樹脂・ＡＳ樹脂・ＡＢＳ樹脂)でできている事を
特徴とするシート。
【請求項３】
前記請求項1の透過性のあるシート・耳のプリントは耳に
重ねて耳及び耳周辺のツボを特定でき、更に反転し、
１枚で両方の耳にて使用できる事を特徴とするシート。
【発明の詳細な説明】
【技術分野】
【０００１】
本発明は東洋医学及び発生学の理論を組み合わせてあらゆる症状を
抑えるための、耳及び耳周囲のツボ(経穴)を、誰でもより正確に決定する事
ができるシート。
【背景技術】
【０００２】
耳つぼの選択は専門家に行ってもらうことが通常であった。
【０００３】
従来は耳のツボがしるしてある、専門の文献及び図でツボの位置を探すのが
通常の手段であった。
【発明の概要】
【発明が解決しようとする課題】
【０００４】
耳のツボを自分自身では探すことは困難であり、専門の文献及び図で位置が
わかったとしても、正確には耳のツボの位置を取穴する事は非常に困難
であった。
【０００５】
本発明の更なる課題は、従来の耳のツボに関する刊行物は、誰でも使用が
可能であり、手軽に持ち歩きが可能な物がなかった。
【０００６】
ツボ（経穴）の位置は、測定される必要があるが、ツボ（経穴）の位置を
検索するには時間がかかるなどの不都合が生じていた。
【０００７】
また、耳には多数のツボ(経穴)が存在し、専門家の間でも全てのつぼを
各効用ごとに正確に位置を記憶しておくことは困難であった。
【課題を解決するための手段】
【０００８】
第一の発明は、汎用プラスチックで図1で示す通り、長さ111ｍｍ・154ｍｍ
厚み0.45mm・重量5ｇのシートにする事で片手で持てる事を特徴とする。
第二の発明は、プラスチックのシートに耳のプリントをして、更に透過性を
もたせる事で自ら及び他人の耳に重ねる事ができる事を特徴とする。
第三の発明は、耳のプリントに症状ごとにツボの位置をしるす事で短時間に
誰でも耳のツボを検索できる事を特徴とする。
【発明の効果】
【０００９】
本発明は、シートで耳のプリントがしてあり、更に透過性をもたせ
てあらゆる症状にあわせて、耳のツボの位置をしるしてあることで、耳のツボ
を取穴できる物を提供できる。
【００１０】
長方形のシートの１辺の長さが111mmもう１辺が154mmで重量5gである
ので、持ち運びも簡単にでき、どこでも使用が可能な物を提供できる。
【図面の簡単な説明】
【００１１】
【図１】前面より見た図
【図２】横より見た図
【発明を実施するための最良の形態】
【００１２】
以下、本発明の具体的な図面を参照しつつ詳細に説明する。図1には、
図示してあるように、汎用プラスチックの透過性のあるシート(図1−Ｃ)に
透過性がある耳のプリント(図1−Ｄ)がしてあり、更に、耳にシートを当て
耳のツボ(図1−Ｅ)の位置を正確に把握するために耳のプリントの上に
ツボ(図1−Ｇ)の位置をしるしをしてある。
【００１３】
本発明のシートは図2で図示してあるようにプラスチックで厚さ(図2−Ｆ)
0.45mmで１辺の長さ(図1−Ａ)が111mm,もう１辺の長さ(図1−Ｂ)が154mm
となっていて、重量は（5g）であるので持ち運びが容易になっている。
【実施例】
【００１４】
透過性の実施例‥部屋の蛍光灯下で50ｃｍから離した所から
シートの下にある紙の文字が見える
【符号の説明】
【００１５】
Ａ‥シートの１辺(111mm)
Ｂ‥シートの１辺(154mm)
Ｃ‥汎用プラスチックシート(透過性有り)
Ｄ‥耳のプリント(透過性有り)
Ｅ‥耳のツボ
Ｆ‥Ａと同様
Ｇ‥汎用プラスチックのシート幅
【図１】
2010246673.tif 000003
【図２】
2010246673.tif 000004
(57)【要約】【課題】IH調理器上で使用するセラミック鍋の製造方法と構造を提供する。【解決手段】本発明のセラミック鍋の製造方法は、セラミック材料により陶磁成型後、焼結プロセスにより陶磁体を形成し、陶磁体表面上に釉薬して、鍋本体を形成する。その後、磁場感応特性を有する溶融金属を鍋本体の内部底面に溶射して、冷却後、粗雑な金属表層面にナノセラミック材料を噴霧して、平坦な表面を形成し、このセラミック鍋はIH調理器上で磁場に感応し、鍋内の食料を加熱することができる。【選択図】図１
2010246816.tif 000002
【特許請求の範囲】
【請求項１】
IH調理器上で使用できるセラミック鍋の製造方法であって、
（ａ）陶磁成型ステップと、
（ｂ）焼結ステップと、
（ｃ）陶磁体を形成するステップと、
（ｄ）釉薬して、鍋本体を形成するステップと、
（ｅ）前記鍋本体の内部底面に、磁場感応する金属層を溶射するステップと、
（ｆ）粗雑な金属層表面に塗料を噴霧して、平坦な面を形成するステップと、
（ｇ）完成品を得るステップと、
からなることを特徴とするセラミック鍋の製造方法。
【請求項２】
前記ステップ（ｆ）が噴霧する塗料はナノセラミック材料であることを特徴とする請求項１に記載のセラミック鍋の製造方法。  
【請求項３】
IH調理器上で使用できるセラミック鍋構造であって、鍋本体はセラミックを焼結してなり、その特徴は、前記鍋本体の底面内部は、磁場感応する金属層を結合することを特徴とするセラミック鍋の構造。
【請求項４】
前記金属層の上面にナノセラミック材料を結合して、前記鍋本体の割烹面を形成することを特徴とする請求項３に記載のセラミック鍋の構造。
【発明の詳細な説明】
【技術分野】
【０００１】
本発明は、セラミック鍋に関するものであって、特に、IH調理器上で使用できるセラミック鍋の製造方法と構造に関するものである。
【背景技術】
【０００２】
IH調理器は電磁誘導の原理を応用したもので、コンロ内に金属コイルを設置し、電流がコイルを流れる時、磁場が生成し、鉄製の鍋をコンロに放置すると、磁力線により、鍋底部に渦電流が生成され、鉄製鍋が分子高速無規則運動を有し、分子が衝突して、摩擦により熱エネルギーを生成する。熱効率比は他の台所電化製品の約２倍であり、器具自身が高速発熱して、加熱、割烹ができる。温度上昇が速い、熱効率が高い、火を使わない、煙が出ない、有害気体がない、熱輻射を生成しない、体積が小さい、安全性と美観がある等の長所があるので、多くの家庭で使用されている。
しかし、IH調理器は、絶縁性があり、磁場に感応しないセラミック鍋ができないという欠点がある。
【発明の概要】
【発明が解決しようとする課題】
【０００３】
本発明は、公知のセラミック鍋が絶縁性があり、磁場に感応しないので、IH調理器に使用できないという欠点を改善するセラミック鍋の製造方法と構造を提供することを目的とする。
【課題を解決するための手段】
【０００４】
本発明のセラミック鍋の構造は、鍋底内部に、磁場に感応する金属材料を結合し、金属材料はセラミック材料内部に完全に被覆されて外からは見えず、鍋具はセラミック鍋の特徴を有し、IH調理器やガスコンロ上で使用できる。
本発明のセラミック鍋の製造方法は、セラミック材料により陶磁成型後、焼結プロセスにより陶磁体を形成し、陶磁体表面上に釉薬して、鍋本体を形成する。その後、磁場感応特性を有する溶融金属を鍋本体の内部底面に溶射して、冷却後、粗雑な金属表層面にナノセラミック材料を噴霧して、平坦な表面を形成し、このセラミック鍋はIH調理器上で磁場に感応し、鍋内の食料を加熱することができる。
【発明の効果】
【０００５】
本発明により、本来は絶縁性を有して、磁場に感応しないことから、IH調理器に使用できなかったセラミック鍋が、IH調理器上で使用できるようになる。
【図面の簡単な説明】
【０００６】
【図１】本発明の製造フローチャート図である。
【図２】本発明の鍋を製造する工程図である。
【実施例】
【０００７】
図１は、本発明によるIH調理器上で使用できるセラミック鍋の製造方法を示し、（ａ）陶磁成型ステップと、（ｂ）焼結ステップと、（ｃ）陶磁体を形成するステップと、（ｄ）釉薬して、鍋本体を形成するステップと、（ｅ）鍋本体の内部底面に磁場感応金属層を溶射するステップと、（ｆ）粗雑な金属層表面に塗料を噴霧して、平坦な表面を形成するステップと、（ｇ）完成品を得るステップと、からなる。
前記のステップ（ａ）〜（ｄ）は、公知のセラミック製品の製造ステップと同じである。本発明の特徴は、ステップ（ｅ）〜（ｇ）にある。
図２は、本発明の技術手段を示し、セラミック材料に水を加えて攪拌し、陶磁成型後、陶磁体に焼結する。陶磁体表面に釉薬して、鍋本体１を形成する。その後、磁場感応特性を有する溶融金属２を鍋本体１の内部底面１１に溶射して、溶融金属冷却後、粗雑表面のある金属層１２を形成し、粗雑な金属層１２表面に、ナノセラミック塗料３を噴霧して、平坦な表面１３を形成し、完成する。このセラミック鍋は、IH調理器に放置されるとき、内部の金属層１２が磁場に感応し、鍋内の食品を加熱することができる。
前述の溶射技術は、加圧設備により、溶融金属を適当な圧力で噴出し、液体金属を鍋本体１の内部底面１１に結合し、液体金属が冷却固化後、粗雑な金属層１２を形成する。セラミック材料１３の噴霧は、噴霧ガン等を利用し、ナノレベルのセラミック材料を加熱後、金属層１２に噴霧して、セラミック塗料１３を粗雑金属層１２の毛細孔にドープして、しっかりと結合させ、鍋具内底面に平坦な面が形成されるると、金属層が完全に被覆されて、鍋本体は、セラミック材質の外観を保持する。
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【０００８】
鍋本体１
溶融金属２
内部底面１１
金属層１２
ナノセラミック塗料３
平坦な表面１３
【図１】
2010246816.tif 000003
【図２】
2010246816.tif 000004
(57)【要約】【課題】従来のポットにあっては、容器及び内部の液体により、重い状態や握力の弱い場合に、前記ポットから中の飲料を注ぐ際には、持ち上げや注ぎがスムーズに行えず、零してしまう事がある。【解決手段】本発明は、上記問題点を解決するために成されたもので、前記ポットの注ぎ口下方に設けられた左右二点の凸部、あるいは二点を結ぶ面によって持ち上げる必要も無く、前方に傾ける事で注ぎがスムーズに行う事が出来る。【選択図】図３
2010246875.tif 000002
【特許請求の範囲】
【請求項１】
ポットスタンド上方はポットの下部が入ると共に前記ポットの下方側面が装着される開口部を持ち、下方は平面で、側方はポットの注ぎ口の方向に位置する、一方向の左右二点の凸部、あるいは二点を結ぶ面により、傾けるための機能が設けられた傾け式ポットスタンド。
【請求項２】
前記ポットスタンドの左右二点の凸部、あるいは二点を結ぶ面が、上部方向へ向けて前方に膨みを持ち、ポットを装着する為の開口部がより高い位置に設けられた事によって、安定した傾きを助けると供によりポットの底部を後方高く持ち上げる機能が設けられた傾け転がり式ポットスタンド。
【発明の詳細な説明】
【技術分野】
【０００１】  本発明は、一般に使用されるポットの傾け及び傾け転がり式ポットスタンドに関する。
【背景技術】
【０００２】  従来、ポットより飲料を注ぐ為には、注ぎ口より反対方向に位置する、ポット本体あるいは取っ手を持ち上げ、注ぎ口を下に傾ける事でコップ等の容器に入れていた。
また、傾けて注ぐ事の可能な物（例えば、非特許文献１）も見受けられるが、特化した構造ではない。
【先行技術文献】
【非特許文献】
【０００３】
【非特許文献１】「ドイツ・ヘリオス社、卓上魔法瓶」  インターネットの検索
【発明の概要】
【発明が解決しようとする課題】
【０００４】  従来のポットにあっては、容器が満たされた状態において、中の飲料を注ぐ際には液体の重さで、持ち上げや注ぎがスムーズに行えず、零してしまう事があった。【０００５】  本発明は、上記問題点を解決するために成されたもので、持ち上げる必要も無く、注ぎがスムーズに行う事の出来る傾け式ポットスタンドを提供するものである。
【課題を解決するための手段】
【０００６】  そして、本発明は上記目的を達成する為に、ポットスタンド上方はポットの下部が入ると共に前記ポットの下方側面が装着される開口部を持ち、下方は平面で、側方はポットの注ぎ口の方向に位置する、一方向の左右二点の凸部、あるいは二点を結ぶ面により、傾けるための機能が設けられたものである。【０００７】  また、第２の課題解決手段は、前記ポットスタンドの左右二点の凸部、あるいは二点を結ぶ面が、上部方向へ向けて前方に膨みを持ち、ポットを装着する為の開口部がより高い位置に設けられた事によって、安定した傾きを助けると供によりポットの底部を後方高く持ち上げる機能が設けられたものである。【０００８】  上記第一の課題解決手段による作用は次の通りである。すなわちポットの注ぎ口の下に位置する、一方向の左右二点の凸部、あるいは二点を結ぶ面により、傾けるだけでポット内の液体を注ぐ事が出来るため、ポットが重い時や握力の弱い場合でも持ち上げる必要が無く、注ぎがスムーズに行える。【０００９】  また、第２の課題解決手段による作用は、注ぐ際においてスタンド前方に設けられた膨みにより、傾きに合わせて支点が移動するため、安定した注ぎが行えると供にポット本体が高い位置で傾くので、より前記ポット底部の後方を高くまで持ち上げる事が可能なため、さらにポット内の液体を最後まで注ぐ事でが出来る。
【発明の効果】
【００１０】  上述したように本発明の傾け式ポットスタンドは、ポットが重い時や握力が弱い場合も安全に注ぐ事が出来る、傾け式ポットスタンドを提供出来る。【００１１】  また、傾け転がり式ポットスタンドにおいては、前方に設けられた膨みによって、より安全であると供に、ポット内の液体を、最後の方まで注ぐ効果を発揮するものである。
【図面の簡単な説明】
【００１２】
【図１】第１の実施の形態における斜視図
【図２】第１の実施の形態において、ポットに装着された状態の要部側方断面図
【図３】第１の実施の形態において、ポットに装着され、コップに注がれた状態の側面図
【図４】第２の実施の形態においける斜視図
【図５】第２の実施の形態において、ポットに装着された状態の側面図
【図６】第２の実施の形態におおいて、ポットに装着され、コップに注がれた状態の側面図
【図７】第２の実施の形態における支点を、面に代えた状態の斜視図
【発明を実施するための形態】
【００１３】以下、本発明の実施の形態を図１〜図７に基づいて説明する。
【００１４】  図１〜図３において、傾け式ポットスタンドＡは、上面にポットの下部側面Ｂ３が嵌入するスタンド開口部Ａ１、とポット底面Ｂ４に接触するスタンド底部Ａ２を有し、ポット注ぎ口Ｂ１の下部、左右に位置して傾けた際は、支点となって安定した傾きを助けるスタンド凸部Ａ３より構成されている。
【００１５】  図２は傾け式ポットスタンドＡに、ポットＢが装着された状態を側方より見た、要部断面図である。
【００１６】  図３は傾け式ポットスタンドＡに、ポットＢが装着され、傾ける事によってスタンド凸部Ａ３が支点となり、コップＣに注がれた状態の側面図である。
【００１７】  また、図４〜図６において、傾け転がり式ポットスタンドＡＡは、上部にポットＢの挿入する、転がりスタンド開口部ＡＡ１と、ポット底面Ｂ４に接触する転がりスタンド底部ＡＡ２と、前記転がりスタンド開口部ＡＡ１と転がりスタンド底部ＡＡ２を、前方に湾曲して連絡する、転がりスタンド凸部ＡＡ３より構成されている。
【００１８】  図５は傾け転がり式ポットスタンドＡＡに、ポットＢが装着された状態の側面図である。
【００１９】  図６は傾け転がり式ポットスタンドＡＡに、ポットＢが装着され、ポット注ぎ口Ｂ１の下に位置して、傾けた際に支点となって安定した傾きを助ける転がりスタンド凸部ＡＡ３によって、スムーズにコップＣへ注がれた状態の側面図である。
【００２０】  また、図７は傾け転がり式ポットスタンドＡＡの、転がりスタンド凸部ＡＡ３が、面で構成された傾け転がり式ポットスタンドＡＡＡである。
【符号の説明】
【００２１】    Ａ、傾け式ポットスタンド
Ａ１、スタンド開口部
Ａ２、スタンド底部
Ａ３、スタンド凸部
ＡＡ、傾け転がり式ポットスタンド
ＡＡ１、転がりスタンド開口部
ＡＡ２、転がりスタンド底部
ＡＡ３、転がりスタンド凸部
ＡＡＡ、面で構成された傾け転がり式ポットスタンド
Ｂ、ポット
Ｂ１、ポット注ぎ口
Ｂ２、ポット取っ手
Ｂ３、ポット側面
Ｂ４、ポット底面
Ｃ、コップ
【図１】
2010246875.tif 000003
【図２】
2010246875.tif 000004
【図３】
2010246875.tif 000005
【図４】
2010246875.tif 000006
【図５】
2010246875.tif 000007
【図６】
2010246875.tif 000008
【図７】
2010246875.tif 000009
(57)【要約】【課題】  本発明は皿の両面にシリコンコーティングを施し、ナイフ、フォークのあたる音や重ねて下げる際の音をやわらげる食器に関するもので、また、破損の際に破片の飛散を軽減できる画期的コーティング皿を提供する。【解決手段】  皿（１）の表面に薄いシリコン（２）をコーティングし、皿（１）の裏面に厚いシリコン（３）をコーティングしたことを特徴とする。【選択図】図１
2010246878.tif 000002
【特許請求の範囲】
【請求項１】
（イ）皿（１）の表面に薄いシリコン（２）をコーティングする。
（ロ）皿（１）の裏面に厚いシリコン（３）をコーティングする。
本発明は以上のような構成の画期的コーティング皿。
【発明の詳細な説明】
【技術分野】
【０００１】  本発明は皿の両面にシリコンコーティングを施し、ナイフ、フォークのあたる音や重ねて下げる際の音をやわらげ足り、撥水・撥油性を高め汚れ落ちを良くする食器に関するもので、また、破損の際に破片の飛散を軽減できる画期的なコーティング皿に関するものである。
【背景技術】
【０００２】  従来、陶器製、ステンレス製、プラスチック製のものがあった。
先行技術は、次の高安全性食器及びその製造方法が提案されている。
トレーやテーブル上に載置したときに、傾斜しても滑動することがなく、また、数枚重ねたときの相互の衝撃が緩和されて騒音を発したり、あるいは接触による損傷を生じることがない上に、さらに床等に落下して破壊しても破片が飛散することのない、高度の安全性を示す食器及びその製造方法に関するものである。（特許文献１参照）
【先行技術文献】
【０００３】
【特許文献１】  特開平８−７０９７２
【発明の開示】
【発明が解決しようとする課題】
【０００４】  そのために次のような問題点があった。
（イ）物に接触した際、大きな音が出てしまうため注意が必要であった。
（ロ）陶器製は破損しやすく破損した際にも破片の飛散があり掃除が困難であった。
（ハ）ステンレス製、プラスチック製だと破損しにくいが高級感が損なわれる。
（二）食器洗浄及び洗浄後のふき取り作業に手間がかかる。
【課題を解決するための手段】
【０００５】（イ）皿（１）の表面に薄いシリコン（２）をコーティングする。
（ロ）皿（１）の裏面に厚いシリコン（３）をコーティングする。
本発明は以上のように構成された画期的コーティング皿である。
【発明の効果】
【０００６】皿の外観を損なう事なく食事中及び食器をさげる際にも音を気にしなくてもよい。
その他、コーティングの皮膜による破片の飛散の軽減、食器洗浄の効率化が見込めるものである。
【図面の簡単な説明】
【０００７】
【図１】  本発明の正面図である。
【図２】  本発明のコーティングを説明した側面図である。
【発明を実施するための形態】
【０００８】    以下、本発明の実施の形態について説明する。
（イ）皿（１）の表面に薄いシリコン（２）をコーティングする。
（ロ）皿（１）の裏面に厚いシリコン（３）をコーティングする。
本発明は以上のような構成の画期的コーティング皿である。
本発明は、皿の形状にとらわれることなくコーティングができシリコンの特性である撥水性・撥油性・防汚水をいかした機能性の優れているものである。
【符号の説明】
【０００９】  １  皿
２  薄いシリコン
３  厚いシリコン
【図１】
2010246878.tif 000003
【図２】
2010246878.tif 000004